(57)【要約】【課題】ＩＰネットワークを収容する複数の遠方端局装置と、中央端局装置とを含み、伝送路を経由して通信を行う通信システムにおいて、伝送路上をブロードキャストされるＡＲＰパケットによる輻輳を防止する。【解決手段】遠方端局装置１２のＩＰ入出力部１２１　は、ＡＲＰ要求をＩＰ端末１２１１、１２１２に対してのみ送信する。ＩＰ入出力部１２１　では、直接接続されるＩＰネットワーク１２１０のアドレス変換テーブルのみ生成する。このアドレス変換テーブルは、通信制御部１２３　を介して中央端局装置１１の通信制御部１１３　へ送信される。通信制御部１１３　は、受信したアドレス変換テーブルを組込み、ループ型光伝送路１　と遠方端局装置１３内の通信制御部１３３　とを介して、受信したアドレス変換テーブルをＩＰ入出力部１３１　へ送信する。【選択図】　図１
2004064310.tif 000002
【特許請求の範囲】
【請求項１】
それぞれがＩＰネットワークを収容する複数の遠方端局装置と、中央端局装置とを含み、伝送路を経由して通信を行う通信システムであって、前記中央端局装置は、前記遠方端局装置により前記遠方端局装置が収容するＩＰネットワークについて作成されたアドレス変換テーブルを受信し保存する機能と、前記アドレス変換テーブルを、前記アドレス変換テーブルを作成した遠方端局装置以外の遠方端局装置へ送信する機能とを具備し、前記遠方端局装置は、自己が収容するＩＰネットワークについて作成したアドレス変換テーブルを前記中央端局装置へ送信する機能と、他の遠方端局装置により前記遠方端局装置が収容するＩＰネットワークについて作成されたアドレス変換テーブルを前記中央端局装置を介して受信し保存する機能とを具備することを特徴とする通信システム。
【請求項２】
それぞれがＩＰネットワークを収容する複数の遠方端局装置と、中央端局装置とを含み、伝送路を経由して通信を行う通信システムに用いられる遠方端局装置であって、自己が収容するＩＰネットワークについて作成したアドレス変換テーブルを前記中央端局装置へ送信する機能と、他の遠方端局装置により前記遠方端局装置が収容するＩＰネットワークについて作成されたアドレス変換テーブルを前記中央端局装置を介して受信し保存する機能とを具備することを特徴とする遠方端局装置。
【請求項３】
ＡＲＰの送受信機能およびアドレス変換テーブルの作成機能を有するＩＰ入出力部と、ＡＲＰの送受信機能を有しない他データの入出力部とを具備し、前記ＩＰ入出力部は、自己のＭＡＣアドレスを前記他データの入出力部のＭＡＣアドレスとして前記アドレス変換テーブルの作成を行うことを特徴とする請求項２記載の遠方端局装置。
【請求項４】
前記ＡＲＰの送受信機能および前記アドレス変換テーブルの作成機能を有するＩＰ入出力部と、前記ＡＲＰの送受信機能を有しない通信制御部とを具備し、前記ＩＰ入出力部は、自己のＭＡＣアドレスを前記通信制御部のＭＡＣアドレスとして前記アドレス変換テーブルの作成を行うことを特徴とする請求項２記載の遠方端局装置。
【請求項５】
それぞれがＩＰネットワークを収容する複数の遠方端局装置と、中央端局装置とを含み、伝送路を経由して通信を行う通信システムに用いられる中央端局装置であって、前記遠方端局装置により前記遠方端局装置が収容するＩＰネットワークについて作成されたアドレス変換テーブルを受信し保存する機能と、前記アドレス変換テーブルを、前記アドレス変換テーブルを作成した遠方端局装置以外の遠方端局装置へ送信する機能とを具備することを特徴とする中央端局装置。
【請求項６】
それぞれがＩＰネットワークを収容する複数の遠方端局装置と、中央端局装置とを含み、伝送路を経由して通信を行う通信システムのアドレス変換テーブル管理方法であって、前記遠方端局装置が、自己が収容するＩＰネットワーク内のＩＰ端末に対してＡＲＰを送受信し、アドレス変換テーブルを作成する手順と、前記遠方端局装置が、前記作成したアドレス変換テーブルを前記中央端局装置へ送信する手順と、前記中央端局装置が、受信したアドレス変換テーブルを格納する手順と、前記中央端局装置が、受信したアドレス変換テーブルを前記アドレス変換テーブルを送信した遠方端局装置以外の遠方端局装置へ送信する手順とを具備することを特徴とするアドレス変換テーブル管理方法。
【発明の詳細な説明】
【０００１】
【発明の属する技術分野】
本発明は、それぞれがＩＰ（Ｉｎｔｅｒｎｅｔ　Ｐｒｏｔｏｃｏｌ）　ネットワークを収容する複数の遠方端局装置と、中央端局装置とを含み、伝送路を経由して通信を行う通信システムに関し、特に、遠方端局装置のＩＰ入出力部が有するアドレス変換テーブルの管理方法に関するものである。
【０００２】
【従来の技術】
ＡＲＰ（Ａｄｄｒｅｓｓ　Ｒｅｓｏｌｕｔｉｏｎ　Ｐｒｏｔｏｃｏｌ：アドレス解決プロトコル）　はＩＰネットワーク内のエンド端末（データを送受信する端末）によって使用されるプロトコルである。ＡＲＰは、ＩＰネットワーク内のエンド端末が他のエンド端末に対してＭＡＣ（Ｍｅｄｉａ　Ａｃｃｅｓｓ　Ｃｏｎｔｒｏｌ　）　アドレスを要求し、他のエンド端末がその要求に応答するために使用される。このとき、エンド端末はＩＰネットワーク内にＡＲＰ要求パケットをプロードキャストする。ＩＰネットワーク上の全てのエンド端末はＡＲＰ要求パケットを受信し、自己宛のＡＲＰ要求パケットであれば、自己のＭＡＣアドレスを要求元のエンド端末へＡＲＰ応答パケットで送信する。これにより、エンド端末ごとにＩＰアドレスに対応するＭＡＣアドレスを関連付けることが可能となる。そして、ＡＲＰによるアドレス変換テーブル生成後、そのアドレス変換テーブルを利用してＩＰによる通信が行われる。
【０００３】
また、ＡＴＭ（Ａｓｙｎｃｈｒｏｎｏｕｓ　Ｔｒａｎｓｆｅｒ　Ｍｏｄｅ）ネットワーク上でのアドレス変換・管理手法として、特開平１０−８４３４７号公報を例示することができる。この例では、ＡＴＭネットワーク上でのＬＡＮ（Ｌｏｃａｌ　Ａｒｅａ　Ｎｅｔｗｏｒｋ）エミュレーションにおいて、ダミーのＭＡＣアドレスを用いてＡＲＰ実行時にＡＴＭネットワークへ送信されるパケットの数を低減し、パケットの輻輳を防ぐことを特徴としている。
【０００４】
【発明が解決しようとする課題】
従来の、ＡＲＰによるアドレス変換テーブルの生成方法では、ＡＲＰ要求パケットがＩＰネットワーク内にブロードキャストされるため、ネットワーク内においてＡＲＰ要求パケットの輻輳が考えられる。
【０００５】
また、特開平１０−８４３４７号公報に開示されている方法は、ＡＴＭネットワーク上では有効であるものの、回線に依存しているため、ＡＴＭ以外の回線に適用することはできない。
【０００６】
本発明は、上記課題を解決するためになされたもので、回線に依存することなく、ＡＲＰパケットの輻輳を防ぐことの可能な通信システムおよびそのアドレス変換テーブル管理方法を提供することを目的とする。
【０００７】
【課題を解決するための手段】
本発明の通信システムは、それぞれがＩＰネットワークを収容する複数の遠方端局装置と、中央端局装置とを含み、伝送路を経由して通信を行う通信システムであって、前記中央端局装置は、前記遠方端局装置により前記遠方端局装置が収容するＩＰネットワークについて作成されたアドレス変換テーブルを受信し保存する機能と、前記アドレス変換テーブルを、前記アドレス変換テーブルを作成した遠方端局装置以外の遠方端局装置へ送信する機能とを具備し、前記遠方端局装置は、自己が収容するＩＰネットワークについて作成したアドレス変換テーブルを前記中央端局装置へ送信する機能と、他の遠方端局装置により前記遠方端局装置が収容するＩＰネットワークについて作成されたアドレス変換テーブルを前記中央端局装置を介して受信し保存する機能とを具備することを特徴とする。この構成により、ＩＰネットワーク内および遠方端局装置間の伝送路上をブロードキャストされるＡＲＰパケットによる輻輳を防止することができる。
【０００８】
また、本発明の遠方端局装置は、それぞれがＩＰネットワークを収容する複数の遠方端局装置と、中央端局装置とを含み、伝送路を経由して通信を行う通信システムに用いられる遠方端局装置であって、自己が収容するＩＰネットワークについて作成したアドレス変換テーブルを前記中央端局装置へ送信する機能と、他の遠方端局装置により前記遠方端局装置が収容するＩＰネットワークについて作成されたアドレス変換テーブルを前記中央端局装置を介して受信し保存する機能とを具備することを特徴とする。この構成により、各遠方端局装置は、自己が収容するＩＰネットワークについてアドレス変換テーブルを作成して中央端局装置へ送信し、中央端局装置から他の遠方端局装置が作成したアドレス変換テーブルを受信することで、全てのＩＰネットワークについてアドレス変換テーブルを取得することができる。
【０００９】
さらに、本発明の遠方端局装置は、ＡＲＰの送受信機能およびアドレス変換テーブルの作成機能を有するＩＰ入出力部と、ＡＲＰの送受信機能を有しない他データの入出力部とを具備し、前記ＩＰ入出力部は、自己のＭＡＣアドレスを前記他データの入出力部のＭＡＣアドレスとして前記アドレス変換テーブルの作成を行うことを特徴とする。この構成により、他データの入出力部とＩＰ入出力部との間でＩＰデータの伝送が可能となる。
【００１０】
そして、本発明の遠方端局装置は、ＡＲＰの送受信機能およびアドレス変換テーブルの作成機能を有するＩＰ入出力部と、ＡＲＰの送受信機能を有しない通信制御部とを具備し、前記ＩＰ入出力部は、自己のＭＡＣアドレスを前記通信制御部のＭＡＣアドレスとして前記アドレス変換テーブルの作成を行うことを特徴とする。この構成により、通信制御部に対しＩＰによる直接制御が可能となる。
【００１１】
また、本発明の中央端局装置は、それぞれがＩＰネットワークを収容する複数の遠方端局装置と、中央端局装置とを含み、伝送路を経由して通信を行う通信システムに用いられる中央端局装置であって、前記遠方端局装置により前記遠方端局装置が収容するＩＰネットワークについて作成されたアドレス変換テーブルを受信し保存する機能と、前記アドレス変換テーブルを、前記アドレス変換テーブルを作成した遠方端局装置以外の遠方端局装置へ送信する機能とを具備することを特徴とする。この構成により、各遠方端局装置が作成したアドレス変換テーブルを中央端局装置および全ての遠方端局装置に共有させることができる。
【００１２】
さらに、本発明のアドレス変換テーブル管理方法は、それぞれがＩＰネットワークを収容する複数の遠方端局装置と、中央端局装置とを含み、伝送路を経由して通信を行う通信システムのアドレス変換テーブル管理方法であって、前記遠方端局装置が、自己が収容するＩＰネットワーク内のＩＰ端末に対してＡＲＰを送受信し、アドレス変換テーブルを作成する手順と、前記遠方端局装置が、前記作成したアドレス変換テーブルを前記中央端局装置へ送信する手順と、前記中央端局装置が、受信したアドレス変換テーブルを格納する手順と、前記中央端局装置が、受信したアドレス変換テーブルを前記アドレス変換テーブルを送信した遠方端局装置以外の遠方端局装置へ送信する手順とを具備することを特徴とする。この構成により、ＩＰネットワーク内および遠方端局装置間の伝送路上をブロードキャストされるＡＲＰパケットによる輻輳を防止することができる。
【００１３】
【発明の実施の形態】
以下、本発明の実施の形態について図面を参照しながら詳細に説明する。
図１は、本発明のアドレス変換テーブル管理方法を適用したネットワークの構成を示す図である。
【００１４】
このネットワークは、ループ型光伝送路１と、ループ型光伝送路１に接続された中央端局装置１１と、ループ型光伝送路１に接続された遠方端局装置１２乃至１４とから構成されている。なお、本実施の形態では、ループ型光伝送路１がＡＴＭネットワークを構成する場合について説明するが、ループ型光伝送路１が構成するネットワークは、ＩＰネットワーク以外であれば良い。
【００１５】
中央端局装置１１は通信制御部１１３　を具備する。遠方端局装置１２は、ＩＰ入出力部１２１　と、映像入力部１２２　と、通信制御部１２３　とを具備する。遠方端局装置１３は、ＩＰ入出力部１３１　と、映像出力部１３２　と、通信制御部１３３　とを具備する。遠方端局装置１４は、ＩＰ入出力部１４１　と、通信制御部１４３　とを具備する。また、図示されていないが、各端局装置１１乃至１４は各種データ入出力インタフェース（ＲＳ−２３２Ｃ、ＲＳ−５３０Ａ　、接点等）　を具備する。中央端局装置１１は、ネットワークの集中制御機能を有する。遠方端局装置１２乃至１４は、中央端局装置１１を介してデータの送受信を行う。ここで、ＩＰ入出力部１２１　、ＩＰ入出力部１３１　、およびＩＰ入出力部１４１　はＡＲＰの送受信機能を有するが、通信制御部１１３　、通信制御部１２３　、通信制御部１３３、通信制御部１４３、映像入力部１２２　、および映像出力部１３２　はＡＲＰの送受信機能を有しない。
【００１６】
ＩＰ入出力部１２１　、１３１　、１４１　には、それぞれバス型のＩＰネットワーク１２１０、１３１０、１４１０が接続されている。ＩＰネットワーク１２１０はＩＰ端末１２１１、１２１２を備えている。ＩＰネットワーク１３１０はＩＰ端末１３１１、１３１２を備えている。ＩＰネットワーク１４１０はＩＰ端末１４１１、１４１２を備えている。本実施の形態では、ＩＰネットワーク１２１０、１３１０、１４１０がイーサネット（登録商標）の場合について説明するが、他のネットワークでも良い。
【００１７】
各ＩＰ端末１２１１、１２１２、１３１１、１３１２、１４１１、１４１２、および各ＩＰ入出力部１２１　、１３１　、１４１　は、それぞれのＩＰアドレスおよびＭＡＣアドレスを有する。各ＩＰネットワーク１２１０、１３１０、１４１０上を伝播するパケットにはＩＰヘッダが付与される。また、各端局装置１１、１２、１３、１４内、およびそれらの間（即ちループ型光伝送路１上）を伝播するパケットにはＡＴＭヘッダが付与される。
【００１８】
遠方端局装置１２の通信制御部１２３　と中央端局装置１１の中央制御部１１３　との間はネットワーク管理用の管理用帯域による伝送が行われる。一方、遠方端局装置１２内の通信制御部１２３　とＩＰ入出力部１２１　との間は制御専用バスにより、制御情報の伝送が行われる。これにより、映像データなどの主データの伝送には常時一定帯域を使用することが可能となる。
【００１９】
以上のように構成された伝送システムにおいて、遠方端局装置１２がＩＰアドレスとＭＡＣアドレスとのアドレス変換テーブルを作成する手順について、図２のシーケンス図を参照しながら説明する。
【００２０】
まず、遠方端局装置１２において、ＩＰ入出力部１２１　はＡＲＰ要求をＩＰ端末１２１１、１２１２に対して送信する（図２の手順▲１▼）。ＩＰ端末１２１１、１２１２は、ＡＲＰ要求に対してＡＲＰ応答を返送する（図２の手順▲２▼）。これにより、ＩＰ入出力部１２１　は、それに直接接続されるＩＰネットワーク１２１０内のアドレス変換テーブルのみを作成する。なお、ここでは便宜上、ＩＰ入出力部１２１　がＩＰ端末１２１１、１２１２に同時にＡＲＰ要求を送信し、ＩＰ端末１２１１、１２１２が同時にＡＲＰ応答を返送するように図示したが、実際には順番に行う。また、以上の説明では、ＩＰ入出力部がＩＰ端末へＡＲＰ要求を送信しアドレス変換テーブルを作成するものとしたが、ＩＰ入出力部がＩＰ端末からＡＲＰ要求を受けたときにアドレス変換テーブルを作成するように構成しても良い。このようにして作成されたアドレス変換テーブルの一例を図３に示す。この図において、参照元とは、ＡＲＰ要求の要求元を表している。
【００２１】
その後、遠方端局装置１２は、通信制御部１２３　からループ型光伝送路１を経由して中央端局装置１１の通信制御部１１３　へアドレス変換テーブルを送信する（図２の手順▲３▼）。この送信は制御専用バスおよび管理用帯域を使用して行われるため、主データの伝送領域を使用せずにアドレス変換テーブルの送信が可能となる。
【００２２】
中央端局装置１１の通信制御部１１３　では、ＩＰ入出力部１２１　より受信したアドレス変換テーブルを通信制御部１１３　内の記憶手段（図示せず）に格納し、ループ型光伝送路１を経由して遠方端局装置１３、１４のＩＰ入出力部１３１　、１４１　へ送信する（図２の手順▲４▼）。この送信は制御専用バスおよび管理用帯域を使用して行われるため、主データの伝送領域を使用せずにアドレス変換テーブルの送信が可能となる。ＩＰ入出力部１３１　、１４１　は、受信したアドレス変換テーブルを格納する。なお、便宜上、中央端局装置１１の通信制御部１１３　が遠方端局装置１３、１４のＩＰ入出力部１３１　、１４１　へ同時に送信するように図示したが、実際には順番に行う。
【００２３】
つまり、遠方端局装置１２が、自己が収容するＩＰネットワーク１２１０内のＩＰ端末１２１１、１２１２について作成したアドレス変換テーブルが、ループ型光伝送路１を介して中央端局装置１１へ送信され、さらにループ型光伝送路１上の遠方端局装置１２以外の遠方端局装置（図２では遠方端局装置１３、１４）へ転送される。
【００２４】
同様に、遠方端局装置１３が収容するＩＰネットワーク１３１０内のＩＰ端末１３１１、１３１２のアドレス変換テーブルがＩＰ入出力部１３１　により作成された後、ループ型光伝送路１を介して中央端局装置１１へ送信され、さらにループ型光伝送路１上の遠方端局装置１３以外の遠方端局装置（図２では遠方端局装置１１、１４）へ転送される。
【００２５】
また、遠方端局装置１４が収容するＩＰネットワーク１４１０内のＩＰ端末１４１１、１４１２のアドレス変換テーブルがＩＰ入出力部１４１　により作成された後、ループ型光伝送路１を介して中央端局装置１１へ送信され、さらにループ型光伝送路１上の遠方端局装置１４以外の遠方端局装置（図２では遠方端局装置１１、１３）へ転送される。
【００２６】
つまり、各遠方端局装置１２、１３、１４は、それぞれが収容するＩＰネットワーク１２１０、１３１０、１４１０内のＩＰ端末についてアドレス変換テーブルを作成するだけであるため、ループ型光伝送路１上をＡＲＰ要求がブロードキャストされることはない。
【００２７】
そして、例えばＩＰ端末１２１１がＩＰ端末１３１１のＭＡＣアドレスを問い合わせるためのＡＲＰ要求をＩＰネットワーク１２１０上にブロードキャストしたときは、ＩＰ入出力部１２１　が、中央端局装置１１から受信したＩＰ端末１３１１に関するアドレス変換テーブルを参照して、ＩＰ端末１２１１に対して、自己のＭＡＣアドレスおよびＩＰアドレスによるＡＲＰ応答を返送すると共に、ＩＰ端末１３１１のＭＡＣアドレスをＩＰ端末１２１１へ返送することができる。これにより、ループ型光伝送路１上およびＩＰネットワーク１３１０上をＡＲＰ要求がブロードキャストされることによる輻輳をなくすことができる。他のＩＰ端末がＡＲＰ要求を送信する場合についても同様である。
【００２８】
また、ループ型光伝送路１上の任意の遠方端局装置、例えば遠方端局装置１２がループ型光伝送路１から離脱したとき、その情報は中央端局装置１１の通信制御部１１３　で管理しており、中央端局装置１１はＡＴＭネットワークのプロトコルにより遠方端局装置１２が離脱したことを検知するので、遠方端局装置１２のＩＰ入出力部１２１　に接続されるＩＰネットワーク１２１０のアドレス変換テーブルは、遠方端局装置１２が離脱した時点で削除することが可能となる。同様に、図示されていない遠方端局装置が新規にループ型光伝送路１に参加すると、その遠方端局装置内のＩＰ入出力部に直接接続されるＩＰネットワーク端末のアドレス変換テーブルは、その遠方端局装置がループ型光伝送路１に参加した時点で中央端局装置１１の通信制御部１１３　のアドレス変換テーブルに追加される。
【００２９】
このようにして、ループ型光伝送路１を介したＩＰネットワークにおいて、ＩＰ入出力部のアドレス変換テーブルを共通化することにより、ループ型光伝送路１への端局装置の参加・離脱によるＩＰネットワークの更新が容易となる。
【００３０】
例えば、ＩＰ端末１２１１がＩＰ端末１３１１へデータを送信するときは、ＩＰ入出力部１２１　から送られてきたＩＰ端末１３１１のＭＡＣアドレスを有するＩＰヘッダを送信データのパケットに付与してＩＰ入出力部１２１　へ送信すると、ＩＰ入出力部１２１　はそのＩＰヘッダを見て送信データの宛先を識別し、ＩＰヘッダを除去してＡＴＭヘッダを付与し、通信制御部１２３　からループ型光伝送路１へ送出し、遠方端局装置１３へ送信する。遠方端局装置１３では、通信制御部１３３　が、受信したデータのパケットのＡＴＭヘッダから、宛先がＩＰ端末１３１１であることを識別し、ＩＰ入出力部１３１　へ送信する。ＩＰ入出力部１３１　は、受信したデータのパケットからＡＴＭヘッダを除去し、ＩＰヘッダを付与して、ＩＰ端末１３１１へ送信する。
【００３１】
ここで、ＡＲＰの送出機能を有しない遠方端局装置１２内の映像入力部１２２　に対しては、ＩＰ入出力部１２１　のＭＡＣアドレスを映像入力部１２２　のＭＡＣアドレスとしてＩＰ入出力部１２１　が代わりにＡＲＰ応答を返送することで、遠方端局装置１２内の映像入力部１２２　に対してＡＲＰの送受信が可能となる。そして、ＡＲＰの送受信が可能となることで、ＩＰ入出力部１２１　でＩＰヘッダを付加することにより、遠方端局装置１２内の映像入力部１２２　とＩＰネットワーク端末１２１１、１２１２との間でＩＰデータの送受信が可能となる。同様に、ＩＰ入出力部１２１　でＩＰヘッダを削除し、ＡＴＭヘッダを付加することで、ループ型光伝送路１上の他の遠方端局装置である遠方端局装置１３内のＩＰ端末１３１１や映像出力部１３２　との間でＩＰデータの送受信が可能となる。
【００３２】
また、ＡＲＰの送出代行の対象を通信制御部１２３　とすると、例えばＩＰネットワーク端末１２１１が通信制御部１２３　に対して制御電文を送信するときは、ＩＰ入出力部１２１　のＭＡＣアドレスを通信制御部１２３　のＭＡＣアドレスとしてＩＰ入出力部１２１　が代わりにＡＲＰ応答を返送することで、遠方端局装置１２内の通信制御部１２３　に対してＡＲＰの送受信が可能となる。そして、ＡＲＰの送受信が可能となることで、ＩＰ入出力部１２１　でＩＰヘッダを削除することにより、ＩＰネットワーク端末１２１１から遠方端局装置１２内の通信制御部１２３　への制御電文を含むＩＰデータの送信が可能となる。また、ＩＰ入出力部１２１　でＩＰヘッダを付加することにより、遠方端局装置１２内の通信制御部１２３　からＩＰネットワーク端末１２１１への通信が可能となる。これにより、通信制御部１２３　に対して、ＩＰネットワーク端末１２１１による直接制御が可能となる。ここで、中央端局装置１１内の通信制御部１１３　に対して制御電文を含むＩＰデータの送受信を行うことで、ネットワークの制御および保守が可能となる。
【００３３】
このように、本発明の実施の形態によれば、光ループ型ネットワーク内の端局装置内のＩＰ入出力部のアドレス変換テーブルを共通化することで、ループ型ネットワーク内のＡＲＰパケットによる輻輳を抑えることができる。
【００３４】
また、遠方端局装置が光ループ型ネットワークから離脱することにより、その遠方端局装置に収容されているＩＰネットワークが分離された場合、アドレス変換テーブルを共通化することで、分離されたＩＰネットワークをアドレス変換テーブルから認識することが可能となり、メンテナンス性の大幅な向上が図れる。
【００３５】
さらに、ＡＲＰの送出機能を有しないデータ入出力部および通信制御部に対しては、ＩＰ入出力部がＡＲＰの送出機能を代行し、ＩＰ入出力部のＭＡＣアドレスをそれらのデータ入出力部および通信制御部のＭＡＣアドレスとすることで、それらの入出力部および通信制御部の制御、およびそれらの入出力部および通信制御部が送信手段または受信手段となるデータ伝送が可能となる。
【００３６】
【発明の効果】
以上説明したように、本発明の通信システムによれば、中央端局装置によりアドレス変換テーブルを共通化することにより、ＩＰネットワーク内および遠方端局装置間の伝送路上をブロードキャストされるＡＲＰパケットによる輻輳を抑えることができる。
【図面の簡単な説明】
【図１】本発明のアドレス変換テーブル管理方法を適用したネットワークの構成を示す図、
【図２】遠方端局装置がアドレス変換テーブルを作成する手順を説明するための図、
【図３】作成されたアドレス変換テーブルの一例を示す図である。
【符号の説明】
１　　ループ型光伝送路
１１　中央端局装置
１２、１３、１４　遠方端局装置
１２１　、１３１　、１４１　　ＩＰ入出力部
１２２　　映像入力部
１３２　　映像出力部
１１３　、１２３　、１３３　、１４３　　通信制御部
【図１】
2004064310.tif 000003
【図２】
2004064310.tif 000004
【図３】
2004064310.tif 000005